(57)【要約】【課題】簡単な構造で、ホイール内に氷雪などが付着することがあっても、付着した氷雪などを効果的に除去することができ、ブリーダスクリュの損傷やブリーダキャップの破損及び落下を防止することができる車両用ディスクブレーキのキャリパボディを提供する。【解決手段】シリンダ孔５ｄの底部外周壁に、ブリーダスクリュ１１を螺合するブリーダ孔５ｋを形成するブリーダボス部５ｈを突設する。ブリーダボス部５ｈの車両前進時におけるディスク回入側のシリンダ孔５ｄの底部外周壁に、シリンダ孔径方向に突出する氷雪除け５ｉを形成する。【選択図】図１
2014081055.tif 000002
【特許請求の範囲】
【請求項１】
ディスクロータの側部に配置される作用部に、ディスクロータ側に開口するシリンダ孔を設け、該シリンダ孔の底部外周壁に、ブリーダスクリュが螺合されるブリーダ孔を形成するブリーダボス部を突設した車両用ディスクブレーキのキャリパボディにおいて、前記ブリーダボス部の車両前進時におけるディスク回入側のシリンダ孔底部外周壁に、シリンダ孔径方向に突出する氷雪除けを形成したことを特徴とする車両用ディスクブレーキのキャリパボディ。
【請求項２】
前記氷雪除けは、前記ディスクロータの回転中心と、前記シリンダ孔の中心軸とを結んだ中心線上に形成されることを特徴とする請求項１記載の車両用ディスクブレーキのキャリパボディ。
【請求項３】
前記ディスクロータの回転中心から前記氷雪除けの先端部までの距離は、前記ディスクロータの回転中心から、前記ブリーダ孔に装着した状態の前記ブリーダスクリュの先端部までの距離よりも長く設定されていることを特徴とする請求項１または２記載の車両用ディスクブレーキのキャリパボディ。
【請求項４】
前記氷雪除けのディスク軸方向の長さ寸法は、前記ブリーダスクリュの先端頭部の直径よりも長く形成されていることを特徴とする請求項１乃至３のいずれか１項記載の車両用ディスクブレーキのキャリパボディ。
【請求項５】
前記ブリーダボス部は、車両前進時におけるディスク回出側とディスク回入側とに設けられ、双方のブリーダボス部の中間位置に前記氷雪除けが設けられると共に、前記キャリパボディを車体に取り付けた状態で、前記氷雪除けの前記ディスク回出側の前記ブリーダボス部に、前記ブリーダ孔を形成することを特徴とする請求項１乃至４のいずれか１項記載の車両用ディスクブレーキのキャリパボディ。
【請求項６】
前記ブリーダボス部は、前記中心線に対して対称位置にそれぞれ設けられることを特徴とする請求項５記載の車両用ディスクブレーキのキャリパボディ。
【請求項７】
前記キャリパボディは鋳物で形成され、前記氷雪除けは、先端部に向けて漸次細く形成されることを特徴とする請求項１乃至６のいずれか１項記載の車両用ディスクブレーキのキャリパボディ。
【発明の詳細な説明】
【技術分野】
【０００１】
本発明は、車両用ディスクブレーキのキャリパボディに係り、詳しくは、作用部に形成されたシリンダ孔の底部外周壁に、ブリーダスクリュが螺合されるブリーダ孔を形成するブリーダボス部を突設した車両用ディスクブレーキのキャリパボディに関する。
【背景技術】
【０００２】
従来、作用部に形成されたシリンダ孔の底部外周壁には、ブリーダボス部が突設され、該ブリーダボス部には、作動液中の混入エアを排出するブリーダ孔がシリンダ孔に連通させて開口形成されると共に、該ブリーダ孔にはブリーダスクリュが螺着されている。このように形成されたキャリパボディをタイヤのホイール内に配設すると、キャリパボディとホイールとの間には、僅かなホイールクリアランスしか設定されていないことから、例えば、ホイール内に氷雪が付着すると、車両発進時に、この付着した氷雪がブリーダスクリュやブリーダスクリュに取り付けられるブリーダキャップに衝突し、ブリーダスクリュの損傷やブリーダキャップの破損及び落下の虞があった。
【０００３】
このため、作用部の両側に突設したスライドピン取付腕の先端に、ディスク半径方向外側に突出する氷雪除けをそれぞれ突設し、車輪の回転に伴って、氷雪を氷雪除けに衝突させて落下させるものがあった（例えば、特許文献１参照）。
【０００４】
また、ブリーダボス部のディスク回入側にバランスウエイトを突設し、該バランスウエイトによって、キャリパボディの振動を抑えると共に、車輪の回転に伴って、ホイール内に付着した氷雪を、バランスウエイトに衝突させて落下させるようにしたものもあった（例えば、特許文献２参照。）。
【先行技術文献】
【特許文献】
【０００５】
【特許文献１】特許第３９７４８７２号公報
【特許文献２】特許第４３５３４７８号公報
【発明の概要】
【発明が解決しようとする課題】
【０００６】
しかし、上述の特許文献１のものでは、シリンダ孔の底部と、スライドピン取付腕の先端部とが、ディスクロータの側面に平行な同一平面上に形成されるとは限らず、位置がずれることがあることから、付着した氷雪がブリーダスクリュに衝突する虞があった。さらに、２箇所に氷雪除けを形成することから、コストが嵩むと共に、キャリパボディの軽量化の妨げとなっていた。また、ブリーダスクリュと２箇所の氷雪除けとの間に距離があることから、氷雪が一度溶けて崩れた後に、ブリーダスクリュの近傍で再度冷え固まった場合、車両発進時に氷雪がブリーダスクリュに衝突する虞があった。
【０００７】
また、特許文献２のものでは、ブリーダボス部のディスク回入側に、キャリパボディとは別体のバランスウエイト取付部を突設し、該バランスウエイト取付部に雌ねじ孔を形成し、該雌ねじ孔に、雄ねじを備えたバランスウエイトを螺着させることから、部品点数が多くなると共に、ネジ孔の加工やバランスウエイトの取り付け作業に手間が掛かり、コストが嵩んでいた。
【０００８】
そこで本発明は、簡単な構造で、ホイール内に氷雪が付着することがあっても、付着した氷雪を効果的に除去することができ、ブリーダスクリュの損傷やブリーダキャップの破損及び落下を防止することができる車両用ディスクブレーキのキャリパボディを提供することを目的としている。
【課題を解決するための手段】
【０００９】
上記目的を達成するため、本発明の車両用ディスクブレーキのキャリパボディは、ディスクロータの側部に配置される作用部に、ディスクロータ側に開口するシリンダ孔を設け、該シリンダ孔の底部外周壁に、ブリーダスクリュが螺合されるブリーダ孔を形成するブリーダボス部を突設した車両用ディスクブレーキのキャリパボディにおいて、前記ブリーダボス部の車両前進時におけるディスク回入側のシリンダ孔底部外周壁に、シリンダ孔径方向に突出する氷雪除けを形成したことを特徴としている。
【００１０】
また、前記氷雪除けは、前記ディスクロータの回転中心と、前記シリンダ孔の中心軸とを結んだ中心線上に形成されると好ましい。さらに、前記ディスクロータの回転中心から前記氷雪除けの先端部までの距離は、前記ディスクロータの回転中心から前記ブリーダ孔に装着した状態の前記ブリーダスクリュの先端部までの距離よりも長く設定されていると好適である。また、前記氷雪除けのディスク軸方向の長さ寸法は、前記ブリーダスクリュの先端頭部の直径よりも長く形成されていると良い。
【００１１】
さらに、前記ブリーダボス部は、車両前進時におけるディスク回出側とディスク回入側とに設けられ、双方のブリーダボス部の中間位置に前記氷雪除けが設けられると共に、前記キャリパボディを車体に取り付けた状態で、前記氷雪除けの前記ディスク回出側の前記ブリーダボス部に、前記ブリーダ孔を形成すると好ましい。また、前記ブリーダボス部は、前記中心線に対して対称位置にそれぞれ設けられると好適である。さらに、前記キャリパボディは鋳物で形成され、前記氷雪除けは、先端部に向けて漸次細く形成されると良い。
【発明の効果】
【００１２】
本発明の車両用ディスクブレーキのキャリパボディによれば、ブリーダボス部と氷雪除けとをシリンダ孔底部外周壁に形成したことにより、ブリーダボス部に取り付けたブリーダスクリュと氷雪除けとをディスクロータの側面に平行な同一平面上に配置することができ、ホイール内に付着してブリーダスクリュに衝突する虞のある氷雪を、氷雪除けで確実に除去することができる。また、氷雪除けは１個設ければ良いことから、コストの削減化及びキャリパボディの軽量化を図ることができる。
【００１３】
さらに、氷雪除けをディスクロータの回転中心と、シリンダ孔の中心軸とを結んだ中心線上に形成したことにより、キャリパボディに対して、バランス良く氷雪除けを形成することができる。
【００１４】
また、ディスクロータの回転中心から、氷雪除けの先端部までの距離を、ディスクロータの回転中心からブリーダ孔に装着した状態の前記ブリーダスクリュの先端部までの距離よりも長く設定し、さらに、氷雪除けのディスク軸方向の長さ寸法を、ブリーダスクリュの先端頭部の直径よりも長く形成したことにより、氷雪がブリーダスクリュに衝突することを確実に防止することができる。
【００１５】
また、ブリーダボス部を、車両前進時におけるディスク回出側とディスク回入側とに設け、双方のブリーダボス部の中間位置に氷雪除けを設けると共に、キャリパボディを車体に取り付けた状態で、氷雪除けのディスク回出側のブリーダボス部に、前記ブリーダ孔を形成することにより、キャリパボディを車両の右用と左用とに適用可能となり、コストの削減化を図ることができる。
【００１６】
さらに、ブリーダボス部を、前記中心線に対して対称位置にそれぞれ設けたことにより、車両の右用と左用とに用いられるキャリパボディを共用することができる。
【００１７】
また、キャリパボディを鋳物で形成し、氷雪除けを、先端部に向けて漸次細く形成することにより、キャリパボディ鋳造後の型抜き性が向上する。
【図面の簡単な説明】
【００１８】
【図１】本発明の一形態例を示すディスクブレーキの正面図である。
【図２】同じくディスクブレーキの一部断面平面図である。
【図３】図１のIII-III断面図である。
【図４】同じくディスクブレーキの一部断面背面図である。
【図５】同じくディスクブレーキの説明図である。
【発明を実施するための形態】
【００１９】
図１乃至図５は、本発明の一形態例を示すもので、矢印Ａは車両前進時に前輪と一体に回転するディスクロータの回転方向であり、以下で述べるディスク回出側及びディスク回入側とは車両前進時におけるものとする。
【００２０】
この車両用ディスクブレーキ１は、ディスクロータ２と、該ディスクロータ２の一側面側で車体に固設されるキャリパブラケット３と、該キャリパブラケット３に、一対のスライドピン４，４を介してディスク軸方向へスライド可能に支持されるキャリパボディ５と、前記ディスクロータ２を挟んで対向配置される一対の摩擦パッド６，６とを有している。
【００２１】
キャリパブラケット３のディスクロータ回入側及びディスクロータ回出側には、一対のキャリパ支持腕３ａ，３ａが設けられ、該キャリパ支持腕３ａ，３ａは、ディスクロータ２の外側をディスク軸と平行に跨いで、キャリパボディ５のブリッジ部５ａを挟むように配設されている。キャリパ支持腕３ａのそれぞれには、ピン挿通孔３ｂがキャリパボディ５の作用部側に開口して穿設され、また、キャリパブラケット３のディスク内周側には、車体取付ボルトの挿通孔３ｃ，３ｃが形成されている。
【００２２】
キャリパボディ５は、鋳造により形成され、ディスクロータ２の両側部に対向配置される作用部５ｂと反作用部５ｃと、これらをディスクロータ２の外側を跨いで連結する前記ブリッジ部５ａとからなっている。作用部５ｂには、シリンダ孔５ｄがディスクロータ２側に開口して設けられ、該シリンダ孔５ｄにピストン７がピストンシール８を介して液密且つ移動可能に内挿されている。シリンダ孔５ｄの底部とピストン７との間には、液圧室９が画成され、また、反作用部５ｃには反力爪５ｅが一体に形成されている。
【００２３】
作用部５ｂには、ディスク回入側及びディスク回出側に突出するスライドピン取付腕５ｆ，５ｆが設けられる。スライドピン取付腕５ｆ，５ｆの先端には、ピン挿通孔５ｇ，５ｇが形成され、該ピン挿通孔５ｇ，５ｇに挿通するピン取付ボルト１０，１０にて、前記ピン挿通孔３ｂを摺動するスライドピン４，４がスライドピン取付腕５ｆ，５ｆに取り付けられる。
【００２４】
シリンダ孔底部外周壁のディスク外周側には、ディスク回出側とディスク回入側とにブリーダボス部５ｈ，５ｈが形成されると共に、ブリーダボス部５ｈ，５ｈの間に、氷雪除け５ｉがシリンダ孔径方向に突設され、ブリーダボス部５ｈ，５ｈと氷雪除け５ｉとは、ディスクロータ２の側面に平行な同一平面上に、並ぶようにして形成される。氷雪除け５ｉは、先端部に向けて漸次細くなる角錐状に形成されている。ブリーダボス部５ｈにはブリーダ孔５ｋが液圧室９に連通して開口形成され、キャリパボディ５を車体に取り付けた際の上部側となるディスク回出側のブリーダ孔５ｋに、ブリーダスクリュ１１が螺着され、ブリーダスクリュ１１のブリーダボス部５ｈから突出する先端頭部１１ａには、ゴム製のブリーダキャップ１２が被着されている。
【００２５】
上述のように形成されたディスクブレーキ１は、キャリパブラケット３に形成された車体取付ボルトの挿通孔３ｃ，３ｃに車体取付ボルトを挿通し、該車体取付ボルトを車体に螺着することにより、キャリパブラケット３を介してキャリパボディ５が車体に取り付けられる。このように車体に取り付けたキャリパボディ５は、図５に示されるように、ブリーダボス部５ｈ，５ｈが、ディスクロータ２の回転中心Ｏ１とシリンダ孔５ｄの中心軸ＣＬ１とを結んだ中心線ＣＬ２を挟んだ対称位置に配置されると共に、氷雪除け５ｉが、中心線ＣＬ２上に配置される。さらに、前記回転中心Ｏ１から氷雪除け５ｉの先端部５ｍまでの距離Ｌ１は、前記回転中心Ｏ１からブリーダ孔５ｋに装着した状態のブリーダスクリュ１１の先端部１１ａまでの距離Ｌ２よりも長く設定されると共に、図２に示されるように、氷雪除け５ｉの先端部５ｍのディスク軸方向の長さ寸法Ｌ３は、ブリーダスクリュ１１の先端頭部１１ａの直径Ｄ１よりも長く形成されている。
【００２６】
ディスクロータ２の車体外側には、各図の想像線に示されるように、タイヤ２１を装着したホイール２２が車体に取り付けられ、これにより、キャリパボディ５がホイール２２内に収容配置され、キャリパボディ５とホイール２２との間には、僅かなクリアランスが設定される。
【００２７】
本形態例のディスクブレーキ１は、以上のように構成されており、運転者の制動操作によって、液圧マスタシリンダで昇圧された作動液が液圧室９に供給されると、ピストン７がシリンダ孔５ｄをディスクロータ２方向へ前進し、作用部側の摩擦パッド６をディスクロータ２の一側面に摺接させる。次に、この摺接によって発生した制動反力によって、キャリパボディ５は、スライドピン４，４に案内されながら作用部方向へ移動し、反力爪５ｅが反作用部側の摩擦パッド６をディスクロータ２の他側面へ摺接させて制動作用が行われる。
【００２８】
また、液圧マスタシリンダから液圧室９までのブレーキ系統内の作動液に混入したエアを抜く場合には、ブリーダスクリュ１１を緩め方向に回すことにより、液圧室内の作動液とこれに混入するエアとを外部に排出させることができる。
【００２９】
上述のようなディスクブレーキ１を搭載した車両が、寒冷地で使用される場合等では、ホイール２２内に雪が付着することがあり、また、この雪を一晩放置させると冷え固まって氷塊状になる。これら氷雪２３が、一度溶けた後に再度冷え固まってブリーダスクリュの近傍に付着した状態で車両を発車させると、車輪の回転に伴って、氷雪２３が氷雪除け５ｉに衝突して砕け、ホイール２２から落下する。これによって、氷雪２３が効果的にホイール２２から除去され、ブリーダスクリュ１１やブリーダキャップ１２が氷雪２３と衝突して、ブリーダスクリュ１１が損傷したりブリーダキャップ１２が破損、落下したりする虞がない。また、ホイール２２内に付着して固まった泥等も、車両走行中に氷雪除け５ｉに衝突して落下するのでブリーダスクリュ１１が泥の固まり等で損傷したり汚れたりすることを防止できる。
【００３０】
上述のキャリパボディ５によれば、ブリーダスクリュ１１と氷雪除け５ｉとをシリンダ孔底部外周壁に形成したことにより、ブリーダスクリュ１１と氷雪除け５ｉとを、ディスクロータ２の側面に平行な同一平面上に形成することができ、氷雪除け５ｉでホイール２２内に付着した氷雪２３を確実に除去することができる。さらに、氷雪除け５ｉは１個設ければ良いことから、コストの削減化及びキャリパボディの軽量化を図ることができる。
【００３１】
また、ブリーダボス部５ｈ，５ｈは、ディスクロータ２の回転中心Ｏ１とシリンダ孔５ｄの中心軸ＣＬ１とを結んだ中心線ＣＬ２を挟んだ対称位置に配置され、氷雪除け５ｉは、中心線ＣＬ２上に配置されることから、車両の右用と左用に用いられるキャリパボディ５を共用することができ、コストの削減化を図ることができる。さらに、回転中心Ｏ１から氷雪除け５ｉの先端部５ｍまでの距離Ｌ１を、回転中心Ｏ１からブリーダ孔５ｋに装着した状態のブリーダスクリュ１１の先端部１１ａまでの距離Ｌ２よりも長く設定する共に、氷雪除け５ｉのディスク軸方向の長さ寸法Ｌ３を、ブリーダスクリュ１１の先端頭部１１ａの直径Ｄ１よりも長く形成したことから、氷雪２３がブリーダスクリュ１１に衝突することを確実に防止することができる。また、キャリパボディ５を鋳物で形成し、氷雪除け５ｉを、先端部に向けて漸次細くなる角錐状に形成したことから、キャリパボディ鋳造後の型抜き性を向上させることができる。
【００３２】
尚、本発明の車両用ディスクブレーキのキャリパボディは、上述の形態例に限るものではなく、ブリーダボス部を１つ設け、雪除けを、ブリーダボス部の車両前進時におけるディスク回入側のシリンダ孔底部外周壁に設けたものでも良い。また、キャリパボディは鋳造により形成されるものに限らず、さらに、氷雪除けの形状も角錐に限るものではなく、任意である。
【符号の説明】
【００３３】
１…ディスクブレーキ、２…ディスクロータ、３…キャリパブラケット、３ａ…キャリパ支持腕、３ｂ…ピン挿通孔、３ｃ…挿通孔、４…スライドピン、５…キャリパボディ、５ａ…ブリッジ部、５ｂ…作用部、５ｃ…反作用部、５ｄ…シリンダ孔、５ｅ…反力爪、５ｆ…スライドピン取付腕、５ｇ…ピン挿通孔、５ｈ…ブリーダボス部、５ｉ…氷雪除け、５ｋ…ブリーダ孔、５ｍ…先端部、６…摩擦パッド、７…ピストン、８…ピストンシール、９…液圧室、１０…ピン取付ボルト、１１…ブリーダスクリュ、１１ａ…先端頭部、１１ｂ…先端部、１２…ブリーダキャップ、２１…タイヤ、２２…ホイール、２３…氷雪
【図１】
2014081055.tif 000003
【図２】
2014081055.tif 000004
【図３】
2014081055.tif 000005
【図４】
2014081055.tif 000006
【図５】
2014081055.tif 000007